(57)【要約】【課題】本発明は、装着が容易で、導管の傾倒を効果的に抑制することができる、新規な容器用ポンプのストッパを提供する。【解決手段】本発明のストッパ1は、容器口部に固定される装着筒と押圧ヘッドとの間に介在させて、押圧ヘッドの押し下げを阻止する、容器用ポンプのストッパである。ストッパ1は、2つの扉1aがヒンジ1bを介して繋がる収納本体1cを有し、扉1aを閉じたときに当該扉の側端e1が合さることで筒体としてなり、扉1aのヒンジ側側端e2に、押圧ヘッドと装着筒との間に介在させるとき、当該導管に接触して扉1aの閉じ動作を生起させる作用片1dを備える一方、収納本体1cのヒンジ側側端e3に、収納本体1cの内周面fcを周方向に沿って延在し、扉1aが閉じられたときに当該扉1aの作用片1dを収納する切り欠き部Sを備えると共に、当該切り欠き部Sに、扉1aに設けた作用片1dを着脱可能に係止させる係止突起1fを備える。【選択図】図２
2010083555.tif 000002
【特許請求の範囲】
【請求項１】
容器口部に固定される装着筒を貫通して当該装着筒の下側に配置したポンプに繋がる導管を有し、この導管の先端に取り付けられた押圧ヘッドを上下動させることでポンプ作用を生起させる容器用ポンプに用いられ、押圧ヘッドと装着筒との間に介在させて、押圧ヘッドの押し下げを阻止する、容器用ポンプのストッパであって、
当該ストッパは、２つの扉がヒンジを介して繋がる収納本体を有し、扉を閉じたときに当該扉の側端が互いに合さることで筒体としてなり、
扉のヒンジ側に、押圧ヘッドと装着筒との間に介在させるとき、当該導管、押圧ヘッド又は装着筒に接触して扉の閉じ動作を生起させる作用片を備える一方、
前記収納本体のヒンジ側に、扉に設けた作用片を係止させる係止突起を備えることを特徴とする、容器用ポンプのストッパ。
【請求項２】
請求項１において、前記収納本体のヒンジ側に、当該収納本体の内周面を周方向に沿って延在し、扉が閉じられたときに当該扉の作用片を収納する切り欠き部を設けたことを特徴とする、容器用ポンプのストッパ。
【請求項３】
請求項１又は２において、作用片と係止突起との間の係止が着脱可能な係止であることを特徴とする、容器用ポンプのストッパ。
【請求項４】
請求項１乃至３のいずれか一項において、収納本体の外表面に摘み部を設け、この摘み部を、２つの扉の合せ面に対して軸線を挟んで対向する位置に配置したことを特徴とする、容器用ポンプのストッパ。
【発明の詳細な説明】
【技術分野】
【０００１】
本発明は、容器口部に固定される装着筒を貫通して当該装着筒の下側に配置したポンプに繋がる導管を有し、この導管の先端に取り付けられた押圧ヘッドを上下動させることでポンプ作用を生起させる容器用ポンプに用いられ、押圧ヘッドと装着筒との間に介在させて、押圧ヘッドの押し下げを阻止する、容器用ポンプのストッパに関するものである。
【背景技術】
【０００２】
容器用ポンプの押圧ヘッドの誤動作を防止するストッパとしては、筒体の一部を軸線方向に沿って開放させたものがあり、当該ストッパをかかる開放部分から導管に押し込むことで、当該導管に対して着脱可能としたものがある（例えば、特許文献１参照）。
【特許文献１】実公昭６３−３３６４６号公報
【発明の開示】
【発明が解決しようとする課題】
【０００３】
しかしながら、従来のストッパは、その一部が開放されているところから、例えば、容器全体をシュリンクフィルムで包装した場合、その収縮によって押圧ヘッドが押し下げられると、開放部分に沿って導管が傾倒してしまうという問題があった。
【０００４】
本発明は、こうした事実認識に基づいてなされたものであり、その目的とするところは、装着が容易で、導管の傾倒を効果的に抑制することができる、新規な容器用ポンプのストッパを提供することにある。
【課題を解決するための手段】
【０００５】
本発明のストッパは、容器口部に固定される装着筒を貫通して当該装着筒の下側に配置したポンプに繋がる導管を有し、この導管の先端に取り付けられた押圧ヘッドを上下動させることでポンプ作用を生起させる容器用ポンプに用いられ、押圧ヘッドと装着筒との間に介在させて、押圧ヘッドの押し下げを阻止する、容器用ポンプのストッパであって、
当該ストッパは、２つの扉がヒンジを介して繋がる収納本体を有し、扉を閉じたときに当該扉の側端が互いに合さることで筒体としてなり、
扉のヒンジ側に、押圧ヘッドと装着筒との間に介在させるとき、当該導管、押圧ヘッド又は装着筒に接触して扉の閉じ動作を生起させる作用片を備える一方、
前記収納本体のヒンジ側に、扉に設けた作用片を着脱可能に係止させる係止突起を備えることを特徴とするものである。
【０００６】
作用片と係止突起とを係止する手段としては、例えば、アンダーカット嵌合（段差による引っ掛かりを伴う嵌合）が挙げられる。なお、作用片と係止突起との間の着脱に関しては、需要層や用途等を考慮し、作用片と係止突起との間の引っ掛かり量を調整する等して行う。また、ストッパを装着する部位としては、導管、押圧ヘッド又は装着筒（これらのいずれかに設けられた装着部を含む）が挙げられる。
【０００７】
また、前記収納本体のヒンジ側には、当該収納本体の内周面を周方向に沿って延在し、扉が閉じられたときに当該扉の作用片を収納する切り欠き部を設けることができる。この場合、前記係止突起は、切り欠き部と共に形作ることができる。
【０００８】
本発明では、収納本体の外表面に摘み部を設けたとき、この摘み部を、収納本体に対する様々な位置に配置でき、こうした摘み部の位置としては、例えば、２つの扉の合せ面に対して軸線を挟んで対向する位置が挙げられる。
【発明の効果】
【０００９】
本発明のストッパは、２つの扉を開いた状態で収納本体の内側から押圧ヘッドと装着筒との間に押し込むと、扉のヒンジ側に設けた作用片が導管、押圧ヘッド又は装着筒に接触することで、２つの扉の側端が互いに合さって筒体を形成するように、扉の閉じ動作を生起させる。これにより、本発明のストッパは、２つの扉を開いた状態で押圧ヘッドと装着筒との間に対して押し込むだけで、導管が傾倒しないように、当該導管を、２つの扉の側端が合さった状態で取り囲むことができる。
【００１０】
加えて、本発明のストッパは、扉を閉じたとき、収納本体に設けられた係止突起で係止される。このため、本発明のストッパでは、押圧ヘッドと装着筒との間に介在させた後には扉が収納本体から開いてしまうことがない。
【００１１】
従って、本発明によれば、装着が容易で、導管の傾倒を効果的に抑制することができる容器用ポンプのストッパを提供することができる。
【００１２】
特に、前記収納本体のヒンジ側に、当該収納本体の内周面を周方向に沿って延在し、扉が閉じられたときに当該扉の作用片を収納する切り欠き部を設ければ、扉の作用片を収納本体の切り欠き部に対して収納することができる。
【００１３】
また、本発明のストッパでは、扉の合せ面側側端の相互間が互いに連結されていないため、収納本体に設けた係止突起と扉に設けた作用片との間の係止を着脱可能にすれば、収納本体を外向きに引っ張ると、２つの扉の内周面がそれぞれ、導管、押圧ヘッド又は装着筒によって外向きに押されるため、２つの扉が外向きに開こうとする力で係止突起と作用片との間の係止を解除することができる。
【００１４】
即ち、係止突起と作用片との間の係止を着脱可能とすれば、収納本体を外向きに引っ張ると、扉がヒンジを基点に外向きに開くため、扉の合せ面間からの引き抜きにより、本発明であるストッパをそのまま押圧ヘッドと装着筒との間から容易に取り外すことができる。
【００１５】
特に、収納本体の外表面に摘み部を設け、この摘み部を、２つの扉の合せ面に対して軸線を挟んで対向する位置に配置すれば、当該ストッパを効率的に取り外すことができる。
【発明を実施するための最良の形態】
【００１６】
図１(a),(b)はそれぞれ、本発明の一形態であるストッパ１を、容器用ポンプ１０に装着した状態で示す平面図及び側面図である。また、図２は、ストッパ１を示す斜視図である。更に、図３(a),(b)はそれぞれ、ストッパ１の装着過程を模式的に示す平面図であり、また、図４(a),(b)はそれぞれ、ストッパ１の取り外し過程を模式的に示す平面図である。
【００１７】
容器用ポンプ１０は、図１に示すように、容器口部に螺着されるリングキャップ（装着筒）１１と、このリングキャップ１１を貫通して当該リングキャップ１１の下側に配置したポンプＰに繋がる導管１２と、この導管１２の先端に取り付けられた押圧ヘッド１３とを備える。押圧ヘッド１３は、ノズル１３ａを有し、当該押圧ヘッド１３を上下動させることでポンプ作用を生起させる。
【００１８】
ストッパ１は、その上端及び下端がそれぞれ、押圧ヘッド１３の下端及び装着筒１１の上端に接触することで、押圧ヘッド１３の押し下げを阻止する、合成樹脂からなる一体成形品である。ストッパ１は、図２等に示すように、２つの扉１ａがヒンジ１ｂを介して一体に繋がる収納本体１ｃを有し、扉１ａを閉じたときに、図４に示すように、扉１ａの合せ面側に位置する側端（以下、「合せ面側側端」という）ｅ1が互いに合さることで、軸線Ｏ1周りを取り囲む筒体としてなる。なお、以下、符号Ｏ2は、容器用ポンプ１０（導管１２）の軸線である。
【００１９】
扉１ａは、図３(b)に示すように、そのヒンジ側の側端（以下、「ヒンジ側側端」という）ｅ2に、導管１２を収納本体１ｃの内側に収納するとき、導管１２に接触して扉１ａの閉じ動作を生起させる作用片１ｄが設けられている。
【００２０】
これに対し、収納本体１ｃは、図２等に示すように、そのヒンジ側の側端（以下、「ヒンジ側側端」という）ｅ3に、収納本体１ｃの内周面ｆcを周方向（軸線Ｏ周り）に沿って延在し、扉１ａが閉じられたときに、作用片１ｄを収納する切り欠き部Ｓが設けられている。
【００２１】
また、切り欠き部Ｓは、扉１ａに設けた作用片１ｄを着脱可能に係止させる係止突起１ｅを形作るように形成されている。本形態では、作用片１ｄは、扉１ａのヒンジ側側端ｅ2から突出する板状をし、その先端に係止段部１ｆが形成されている。
【００２２】
これにより、本形態では、扉１ａを閉じたとき、図４に示すように、作用片１ｄの係止段部１ｆが係止突起１ｅと内周面ｆcの間に形成された隙間Ｃにアンダーカット嵌合（段差による引っ掛かりを伴う嵌合）することで、扉１ａを収納本体１ｃに対して着脱可能に固定することができる。
【００２３】
なお、扉１ａの内周面ｆaは、図４(a)に示すように、扉１ａが収納本体１ｃに固定されたとき、収納本体１ｃの内周面ｆcと共に、軸線Ｏ1を取り囲む真円形状をなしている。また、本形態では、収納本体１ｃの内周面ｆcに、導管１２を収納したとき、当該導管１２を嵌合させる複数の縦リブ１ｒが一体に形成されている。このため、導管１２は、扉１ａを閉じたとき、縦リブ１ｒで固定保持される。なお、本形態では、導管１２を縦リブ１ｒで固定保持するが、縦リブ１ｒを省略し、扉１ａの内周面ｆa及び収納本体１ｃの内周面ｆcそのもので固定保持することもできる。また、係止突起１ｅは、切り欠きＳの有無にかかわらず、収納本体１ｃの内周面ｆcに直接設けてもよい。
【００２４】
符号１ｇは、収納本体１ｃの外表面に設けられた摘み部である。摘み部１ｇは、図２等に示すように、収納本体１ｃに一体に設けられた摘み基部１ｇ(1)と、この摘み基部１ｇ(1)の先端から左右に広がる摘み本体１ｇ(2)とからなる。摘み部１ｇは、収納本体１ｃに対する様々な位置に配置できるが、本形態では、図４(a)に示すように、２つの扉１ａの合せ面に対して軸線Ｏ1を挟んで対向する位置に存在する。
【００２５】
次に、図面を参照して、ストッパ１の機能を説明する。
【００２６】
容器用ポンプ１０を取り付けた製品として出荷する際、図３(a)に示すように、２つの扉１ａを開いた状態で収納本体１ｃの内側から導管１２に押し込むと、扉１ａの作用片１ｄは、図３(b)に示すように、導管１２に接触することで、２つの扉１ａを互いの合せ面側側端ｅ1が接近するように内側に引き込む。即ち、扉１ａの作用片１ｄは、導管１２に接触することで、扉１ａの閉じ動作を生起させる。
【００２７】
そして、導管１２に更に押し込むと、作用片１ｄの係止段差１ｅが切り欠き部Ｓに設けられた係止突起１ｆを乗り越えて隙間Ｃ内に係止されることで、当該作用片１ｄは、図４(a)の拡大図に示すように、切り欠き部Ｓに対して収納される。
【００２８】
これにより、ストッパ１は、２つの扉１ａを開いた状態で導管１２に対して押し込むだけで、図４(a)に示すように、導管１２が傾倒しないように、当該導管１２を２つの扉１ａの合せ面側側端ｅ1が合さった状態で取り囲むことができる。
【００２９】
しかも、２つの扉１ａはいずれも、収納本体１ｃに係止されるため、導管１２に装着した後は、一定以上の外力（係止状態を解除し得る外力）が付加されない限り、図４(a)に示すような状態を維持し、収納本体１ｃの内側を開放させることがない。
【００３０】
従って、本形態によれば、装着が容易で、導管１２の傾倒を効果的に抑制することができる容器用ポンプ１０のストッパを提供することができる。
【００３１】
また、ストッパ１を取り外すに際しては、以下の通りに操作する。
【００３２】
本形態では、扉１ａの合せ面側側端ｅ1の相互間が互いに連結されていないため、摘み部１ｇを把持して、図４(a)に示すように、収納本体１ｃを外向きに引っ張ると、２つの扉２の内周面ｆaがそれぞれ、同図に示すように、導管１２によって外向きに押されるため、２つの扉１ａが外向きに開こうとする力で係止突起１ｅと作用片１ｄとの間の係止を解除することができる。
【００３３】
即ち、係止突起１ｅと係止段差１ｆとの間の係止を着脱可能とすれば、収納本体１ｃを外向きに引っ張ると、扉１ａがヒンジ１ｂを基点に外向きに開くため、扉１ａの合せ面間からの引き抜きにより、ストッパ１をそのまま押圧ヘッド１３とリングキャップ１１との間から容易に取り外すことができる。
【００３４】
特に、本形態の如く、摘み部１ｇを、図４(a)に示すように、２つの扉１ａの合せ面に対して軸線Ｏ1を挟んで対向する位置に配置すれば、ストッパ１を効率的に取り外すことができる。
【００３５】
上述したところは、本発明の一形態を示したに過ぎず、特許請求の範囲内において、種々の変更を加えることができる。例えば、本形態の如く、収納本体１ｃの内周面ｆcに複数のリブ１ｒを設けた場合、当該リブ１ｒと共に係止突起１ｅを設ける等すれば、切り欠き部Ｓを省略することができる。また、本形態では、例えば、ストッパ１を導管１２に装着することで、作用片１ｄを導管１２で操作したが、本発明に従えば、導管１２、装着筒１１又は押圧ヘッド１３（これらのいずれかに設けられた装着部を含む）に装着することで、これらいずれかで作用片１ｄを操作させてもよい。
【図面の簡単な説明】
【００３６】
【図１】(a),(b)はそれぞれ、本発明の一形態であるストッパを、容器用ポンプに装着した状態で示す平面図及び側面図である。
【図２】同形態のストッパを示す斜視図である。
【図３】(a),(b)はそれぞれ、同形態のストッパの装着過程を模式的に示す平面図である。
【図４】(a),(b)はそれぞれ、同形態のストッパの取り外し過程を模式的に示す平面図である
【符号の説明】
【００３７】
１    ストッパ
１ａ  扉
１ｂ  ヒンジ
１ｃ  収納本体
１ｄ  作用片
１ｅ  係止突起
１ｆ  係止段部
１ｇ  摘み部
１０  容器用ポンプ
１１  装着筒
１２  導管
１３  押圧ヘッド
Ｃ    係止段部嵌合用隙間
Ｓ    切り欠き部
ｅ1   合せ面側（扉）側端
ｅ2   ヒンジ側（扉）側端
ｅ3   ヒンジ側（収納本体）側端
【図１】
2010083555.tif 000003
【図２】
2010083555.tif 000004
【図３】
2010083555.tif 000005
【図４】
2010083555.tif 000006